(57)【要約】【課題】  円筒部が環状の窪み部から折れ曲ることを防ぎ、円筒部に内装する環状形状の絶縁部を容易に固定することができるＳＭＢ型高周波コネクタおよびその製造方法を提供すること。【解決手段】  本発明のＳＭＢ型高周波コネクタ１０は、中心に接続ピン１５が設けられる円筒部１１と、円筒部１１に内装され接続ピン１５を中心に固定する環状形状の絶縁部１３とを備え、円筒部１１は、環状の窪み部１５が外周面に形成されるとともに、窪み部１５の内側の円周面に突起部１７ａを設けることとした。【選択図】図１
2008098126.tif 000002
【特許請求の範囲】
【請求項１】
中心に接続ピンが設けられる円筒部と、前記円筒部に内装され前記接続ピンを中心に固定する環状形状の絶縁部とを備え、前記円筒部は、環状の窪み部が外周面に形成されるとともに、前記窪み部の内側の円周面に突起部を設けたことを特徴とするＳＭＢ型高周波コネクタ。
【請求項２】
前記環状の窪み部は、断面を台形形状とし、前記窪み部の内側の絶縁部側に設けられる前記突起部は、断面を半楕円形状とすることを特徴とする請求項１または請求項２に記載のＳＭＢ型高周波コネクタ。
【請求項３】
板金の絞り加工と抜き加工とにより、環状形状の絶縁部を内装し前記絶縁部の中心に接続ピンを固定する円筒部を形成し、前記円筒部の外周面に沿って行うロール冶具のロール加工により、環状の窪み部を外周面に形成するとともに、前記窪み部の内側の円周面に突起部を形成することを特徴とするＳＭＢ型高周波コネクタの製造方法。
【発明の詳細な説明】
【技術分野】
【０００１】  本発明は、円筒部が環状の窪み部から折れ曲ることを防ぎ、円筒部に内装する環状形状の絶縁部を容易に固定することができるＳＭＢ型高周波コネクタおよびその製造方法に関する。
【背景技術】
【０００２】  従来の高周波コネクタには、プリント基板などに取付けられ、同軸ケーブルと接続した高周波プラグが差込まれるものがあり（例えば、特許文献１参照）、さらに従来の高周波コネクタには、高周波プラグが差込まれたとき高周波プラグを保持するため、円筒部の外周面に環状の窪み部を形成するＳＭＢ規格に応じたＳＭＢ型高周波コネクタがある。【０００３】
【特許文献１】  特開平１１−１６６４１号公報
【発明の開示】
【発明が解決しようとする課題】
【０００４】  しかしながら、ＳＭＢ規格に応じたＳＭＢ型高周波コネクタは、切削加工により製作されており、外周の環状の窪み部が形成される円筒部は、窪み部の内側の内周面に突起部を設け円筒部の厚みを均一化することは切削加工では困難のため、円筒部の内側は円柱形状になっており環状の窪み部を設けたところの厚みが薄くなっている。また、円筒部の厚みを増すことは高周波プラグとの構造上好ましくない。
そのため、円筒部は、環状の窪み部を形成したところの強度が弱く折れ曲ることがあり、また、内側には突起部が形成されていないため、内装する環状形状の絶縁部の固定はポンチや、接着剤などで固定する必要があり、取付作業に手間がかかり煩雑であるという問題があった。
本発明は、上記に鑑みてなされたものであって、円筒部が環状の窪み部から折れ曲ることを防ぎ、円筒部に内装する環状形状の絶縁部を容易に固定することができるＳＭＢ型高周波コネクタおよびその製造方法を提供することを目的とする。
【課題を解決するための手段】
【０００５】  本発明のＳＭＢ型高周波コネクタは、中心に接続ピンが設けられる円筒部と、前記円筒部に内装され前記接続ピンを中心に固定する環状形状の絶縁部とを備え、前記円筒部は、環状の窪み部が外周面に形成されるとともに、前記窪み部の内側の円周面に突起部を設けることとした。
また、前記環状の窪み部は、断面を台形形状とし、前記窪み部の内側の絶縁部側に設けられる前記突起部は、断面を半楕円形状とすることとした。
さらに、本発明のＳＭＢ型高周波コネクタの製造方法は、板金の絞り加工と抜き加工とにより、環状形状の絶縁部を内装し前記絶縁部の中心に接続ピンを固定する円筒部を形成し、前記円筒部の外周面に沿って行うロール冶具のロール加工により、環状の窪み部を外周面に形成するとともに、前記窪み部の内側の円周面に突起部を形成することとした。
【発明の効果】
【０００６】  本発明のＳＭＢ型高周波コネクタは、中心に接続ピンが設けられる円筒部と、前記円筒部に内装され前記接続ピンを中心に固定する環状形状の絶縁部とを備え、前記円筒部は、環状の窪み部が外周面に形成されるとともに、前記窪み部の内側の円周面に突起部を設けることとしたため、円筒部の窪み部の厚さが均一化され、円筒部が窪み部から折れ曲ることを防ぐごとができ、さらに、環状形状の絶縁部を円筒部の内側に容易に固定することもできる。
また、前記環状の窪み部は、断面を台形形状とし、前記窪み部の内側の絶縁部側に設けられる前記突起部は、断面を半楕円形状とすることとしたため、円筒部が窪み部から折れ曲ることを確実に防ぎ、環状形状の絶縁部を円筒部の内側により確実容易に固定することもできる。
さらに、本発明のＳＭＢ型高周波コネクタの製造方法は、板金の絞り加工と抜き加工とにより、環状形状の絶縁部を内装し前記絶縁部の中心に接続ピンを固定する円筒部を形成し、前記円筒部の外周面に沿って行うロール冶具のロール加工により、環状の窪み部を外周面に形成するとともに、前記窪み部の内側の円周面に突起部を形成することとしたため、プレス加工とロール加工により、円筒部の折れ曲りを防ぎ、円筒部の内側に絶縁部を容易に固定するＳＭＢ型高周波コネクタを容易に製造することができ、量産に適した生産を行うこともできる。
【発明を実施するための最良の形態】
【０００７】  以下、本発明の実施の形態のＳＭＢ型高周波コネクタにつき図面を用い説明する。
【実施例１】
【０００８】  図１は、本発明の実施の形態のＳＭＢ型高周波コネクタの図を示し、図１（ａ）は、ＳＭＢ型高周波コネクタの一部を破断した側面図を示し、図１（ｂ）は、ＳＭＢ型高周波コネクタの底面図を示し、図１（ｃ）は、ＳＭＢ型高周波コネクタの円筒部の窪み部の断面図を示す。
図１（ａ）に示すように、本発明の実施の形態のＳＭＢ型高周波コネクタ１０は、同軸ケーブルと接続したプラグ（図示せず）の装着が行われるもので、先端側に開口部１１ａが形成された円筒部１１と、円筒部１１の底部側に形成されたプレート１６と、プレート１６に形成された取付端子１２とが設けられ、さらに、円筒部１１の内側には環状形状の絶縁部１３が内装され、絶縁部１３の中心には装着されるプラグと接続する接続ピン１５が設けられている。
円筒部１１は、環状の窪み部１４が外周面に形成されている。接続ピン１５は、先端側が先細の形状となっており、絶縁部１３の中心で固定されるための突起部１８ａが形成され、環状形状の絶縁部１３は、先端側に中空部１３ａと、接続ピン１５が中心に圧入されたとき、接続ピン１５を固定する窪み部１８ｂが形成されている。
接続ピン１５は、絶縁部１３の中心に圧入されるとき、接続ピン１５の突起部１８ａが絶縁部１３の窪み部１８ｂにはめられ、絶縁部１３の中心に固定することができる。
図１（ｂ）に示すように、本発明の実施の形態のＳＭＢ型高周波コネクタ１０は、円筒部１１の底部側に形成されたプレート１６の外周側に等間隔で４本の取付端子１２が形成され、プレート１６に明けられた穴部１６ａにも環状形状の絶縁部１３の底部側が挿入され、環状形状の絶縁部１３の中心穴１３ｂに接続ピン１５が圧入されている。
図１（ｃ）に示すように、円筒部１１は、ＳＭＢ規格に応じた断面が台形形状の窪み部１４が外周面に形成され、窪み部１４の内側の内周面に断面が半楕円形状の突起部１７ａが形成され、また、環状形状の絶縁部１３の外周面には断面が半楕円形状の窪み部１７ｂが形成されている。
そのため、円筒部１１の窪み部１４の厚さが均一化され、円筒部が窪み部１４から折れ曲ることを確実に防ぐごとができる。また、環状形状の絶縁部１３が、円筒部１１に圧入されるとき、絶縁部１３の窪み部１７ｂが円筒部１１の突起部１７ａにはめられ、円筒部１１の内側に強固に固定することもできる。
なお、取付端子１２は、折り曲げにより内側に向け突起部を形成し、プリント基板などへの取付を容易にすることもできる。
【実施例２】
【０００９】  図２は、本発明の実施の形態のＳＭＢ型高周波コネクタの製造工程の図を示す。
本発明の実施の形態のＳＭＢ型高周波コネクタ１０は、プレス加工により製造するもので、図２（ａ）の断面図に示すように、第１の絞り加工により板金２１を浅絞りして、浅絞りの円筒形状１１（ａ）に形成し、図２（ｂ）の断面図に示すように、第２の絞り加工により浅絞りの円筒形状１１（ａ）を中絞りの円筒形状１１（ｂ）に形成し、図２（ｃ）の断面図に示すように、第３の絞り加工により中絞りの円筒形状１１（ｂ）から深絞りの円筒形状１１（ｃ）に形成し、円筒形状１１（ｃ）を図１に示す本発明の実施の形態の円筒部１１の形状にする。
また、図２（ｄ）の断面図に示すように、抜き加工により円筒形状１１（ｃ）の先端側を抜き落とし開口部１１ａを形成した円筒形状１１（ｄ）に形成し、図２（ｅ）の平面図に示すように、抜き加工により板金２１に形成した円筒形状１１（ｄ）の外側部２２を抜き落とし、円筒形状１１（ｄ）の外側に取付端子１２が直角方向に形成され、保持部２３により板金２１に保持された形状に形成する。
また、図２（ｆ）の断面図に示すように、図２（ｅ）に示す円筒形状１１（ｄ）の外側に形成された取付端子１２を折り曲げ、図２（ｅ）に示す保持部２３の内側を切断して取付端子１２を形成した形状１１（ｆ）とする。【００１０】  さらに、図２（ｇ）の円筒部の一部断面図に示すように、先端を先細としたロール冶具２５により、円筒部１１の外周面に沿ってロール加工を行い、円筒部１１の外周面に断面が台形形状の窪み部１４を形成し、内周面に断面が半楕円形状の突起部１７ａを形成する。
以上の工程により、図１に示す環状形状の絶縁部１３を内装し絶縁部１３の中心に接続ピン１５を固定する円筒部１１を形成し、円筒部１１の外周面に沿って環状の窪み部１４を外周面に形成するとともに、窪み部１４の内側の円周面に突起部１７ａを形成するＳＭＢ型高周波コネクタを容易に製造することができる。【００１１】  以上のべたように、本発明の実施の形態のＳＭＢ型高周波コネクタ１０は、円筒部１１の外周面には、ＳＭＢ規格に応じた断面が台形形状の窪み部１４を形成し、円筒部１１の内周面には、窪み部１４の内側に断面が半楕円形状の突起部１７ａを形成し、また、環状形状の絶縁部１３の外周面には断面が半楕円形状の窪み部１７ｂを形成している。
そのため、円筒部１１の窪み部１４の厚さが均一化され、円筒部が窪み部１４から折れ曲ることを確実に防ぐごとができ、さらに、環状形状の絶縁部１３が、円筒部１１に圧入されるとき、絶縁部１３の窪み部１７ｂが円筒部１１の突起部１７ａにはめられ、円筒部１１の内側に強固かつ容易に固定することもできる。
また、本発明の実施の形態のＳＭＢ型高周波コネクタの製造方法は、板金の絞り加工と抜き加工とにより、環状形状の絶縁部１３を内装し絶縁部１３の中心に接続ピン１５を固定する円筒部１１を形成し、円筒部１１の外周面に沿って行うロール冶具のロール加工により、環状の窪み部１４を外周面に形成するとともに、窪み部１４の内側の円周面に突起部１７ａを形成するため、プレス加工とロール加工により、円筒部１１の折れ曲り防ぎ、円筒部１１の内側に絶縁部１３を容易に固定するＳＭＢ型高周波コネクタを容易に製造することができる。
また、この製造方法により板金を順送し、量産に適した生産を行うこともできる。
【図面の簡単な説明】
【００１２】
【図１】  本発明の実施の形態のＳＭＢ型高周波コネクタの図を示し、図１（ａ）は、ＳＭＢ型高周波コネクタの側面を破断した側面図を示し、図１（ｂ）は、ＳＭＢ型高周波コネクタの底面図を示し、図１（ｃ）は、ＳＭＢ型高周波コネクタの円筒部の窪み部の断面図を示す。
【図２】  本発明の実施の形態のＳＭＢ型高周波コネクタの製造工程の図を示す。
【符号の説明】
【００１３】  １０  ＳＭＢ型高周波コネクタ
１１  円筒部
１２  取付端子
１３  絶縁部
１４  断面が台形形状の窪み部
１５  接続ピン
１６  プレート
１７ａ  断面が半楕円形状の突起部
１７ｂ  断面が半楕円形状の窪み部
【図１】
2008098126.tif 000003
【図２】
2008098126.tif 000004